(57)【要約】      （修正有）【課題】電力節約機能を有する電子システムを実現する。【解決手段】電子システムは、処理ユニットと記憶装置とを備え、当該記憶装置は、伝送インターフェースを有し、当該伝送インターフェースを介して当該処理ユニットと接続されて、当該電子システムが休眠モードに移行した時には、当該処理ユニットは、当該伝送インターフェースを介して当該記憶装置への電力供給を完全にオフにする。第２の実施形態においては、電子システムは、処理ユニットと記憶装置を備える。当該記憶装置は、伝送インターフェース、およびこれとは独立した信号ピンを有しており、当該伝送インターフェースおよび当該独立した信号ピンを介して当該処理ユニットと接続されて、当該電子システムが休眠モードに移行した時には、当該処理ユニットは、当該独立した信号ピンを介して当該記憶装置への電力供給を完全にオフにする。【選択図】図１
2013143135.tif 000002
【特許請求の範囲】
【請求項１】
電力節約機能を有する電子システムであって：
処理ユニット；および、
伝送インターフェースを有し、前記伝送インターフェースを介して前記処理ユニットに接続されている記憶装置；
を備え、当該電子システムが休眠モードに移行したときには、前記処理ユニットは、前記伝送インターフェースを介して前記記憶装置への電力供給を完全にオフにすることを特徴とする、電子システム。
【請求項２】
前記処理ユニットは、前記伝送インターフェースの特定の信号ピンを介して前記記憶装置への電力供給を完全にオフにすることを特徴とする、請求項１記載の電子システム。
【請求項３】
前記電子システムは、ＰＣ、ノートブック型コンピュータ、組み込み型コンピュータまたはタブレット型コンピュータを含み、前記記憶装置は、半導体ドライブ（ＳＳＤ）を含む、請求項１記載の電子システム。
【請求項４】
前記伝送インターフェースは、SATA（Serial  Advanced  Technology  Attachment）インターフェースまたはPCI-E（Peripheral  Component  Interconnect  Express）インターフェースを含む、請求項１記載の電子システム。
【請求項５】
電力節約機能を有する電子システムであって：
処理ユニット；および、
伝送インターフェースを有し、前記伝送インターフェースを介して前記処理ユニットに接続されている記憶装置；
を備え、前記電子システムが休眠モードから通常動作モードへと移行した時には、前記処理ユニットは、前記伝送インターフェースを介して前記記憶装置への電力供給をオンに切り替えることを特徴とする、電子システム。
【請求項６】
前記処理ユニットは、前記伝送インターフェースの特定の信号ピンを介して前記記憶装置への電力供給をオンに切り替えることを特徴とする、請求項５記載の電子システム。
【請求項７】
前記電子システムは、ＰＣ、ノートブック型コンピュータ、組み込み型コンピュータまたはタブレット型コンピュータを含み、前記記憶装置は、半導体ドライブ（ＳＳＤ）を含む、請求項５記載の電子システム。
【請求項８】
前記伝送インターフェースは、SATA（Serial  Advanced  Technology  Attachment）インターフェースまたはPCI-E（Peripheral  Component  Interconnect  Express）インターフェースを含む、請求項５記載の電子システム。
【請求項９】
電力節約機能を有する電子システムであって：
処理ユニット；および、
伝送インターフェースおよび独立した信号ピンを有し、前記伝送インターフェースおよび前記独立した信号ピンを介して前記処理ユニットに接続されている記憶装置；
を備え、当該電子システムが休眠モードに移行したときには、前記処理ユニットは、前記独立した信号ピンを介して前記記憶装置への電力供給を完全にオフにすることを特徴とする、電子システム。
【請求項１０】
前記電子システムは、ＰＣ、ノートブック型コンピュータ、組み込み型コンピュータまたはタブレット型コンピュータを含み、前記記憶装置は、半導体ドライブ（ＳＳＤ）を含む、請求項９記載の電子システム。
【請求項１１】
前記伝送インターフェースは、SATA（Serial  Advanced  Technology  Attachment）インターフェースまたはPCI-E（Peripheral  Component  Interconnect  Express）インターフェースを含む、請求項９記載の電子システム。
【請求項１２】
電力節約機能を有する電子システムであって：
処理ユニット；および、
伝送インターフェースおよび独立した信号ピンを有し、前記伝送インターフェースおよび前記独立した信号ピンを介して前記処理ユニットに接続されている記憶装置；
を備え、前記電子システムが休眠モードから通常動作モードへと移行した時には、前記処理ユニットは、前記独立した信号ピンを介して前記記憶装置への電力供給をオンに切り替えることを特徴とする、電子システム。
【請求項１３】
前記電子システムは、ＰＣ、ノートブック型コンピュータ、組み込み型コンピュータまたはタブレット型コンピュータを含み、前記記憶装置は、半導体ドライブ（ＳＳＤ）を含む、請求項９記載の電子システム。
【請求項１４】
前記伝送インターフェースは、SATA（Serial  Advanced  Technology  Attachment）インターフェースまたはPCI-E（Peripheral  Component  Interconnect  Express）インターフェースを含む、請求項９記載の電子システム。
【発明の詳細な説明】
【技術分野】
【０００１】
本発明は、電子システムに関係し、より具体的には、電力節約機能を有する伝システムに関係する。
【背景技術】
【０００２】
一般に、従来型のコンピュータ・システム（例えば、ＰＣ、ノートブック型コンピュータ、組み込み型コンピュータまたはタブレット型コンピュータなど）が休眠モードに移行する時、従来型のコンピュータ・システムは、高速伝送インターフェース（例えば、SATA（Serial  Advanced  Technology  Attachment）インターフェースまたはPCI-E（Peripheral  Component  Interconnect  Express）インターフェースなど）に接続された記憶装置（例えば、ハードディスクや半導体ドライブ（ＳＳＤ））を待機モードに設定する。しかしながら、待機モードは、当該記憶装置への電力供給を完全にオフにするわけではなく、その結果、当該記憶装置は、待機モードにおいて、電力を定常的に消費している。
【発明の概要】
【０００３】
以上より、本発明の目的の一つは、上記問題を解決するために、電力節約機能を有する電子システムを実現することである。
【０００４】
本発明の一実施形態によれば、電力節約機能を有する電子システムが開示される。当該電子システムは、処理ユニットと記憶装置を備える。当該記憶装置は、伝送インターフェースを有しており、当該記憶装置は当該伝送インターフェースを介して当該処理ユニットと接続されている。この際、当該電子システムが休眠モードに移行した時には、当該処理ユニットは、当該伝送インターフェースを介して当該記憶装置への電力供給を完全にオフにする。
【０００５】
本発明の一実施形態によれば、電力節約機能を有する電子システムが開示される。当該電子システムは、処理ユニットと記憶装置を備える。当該記憶装置は、伝送インターフェースを有しており、当該記憶装置は当該伝送インターフェースを介して当該処理ユニットと接続されている。この際、当該電子システムが休眠モードから通常動作モードへと移行した時には、当該処理ユニットは、当該伝送インターフェースを介して当該記憶装置への電力供給をオンに切り替える。
【０００６】
本発明の一実施形態によれば、電力節約機能を有する電子システムが開示される。当該電子システムは、処理ユニットと記憶装置を備える。当該記憶装置は、伝送インターフェース、およびこれとは独立した信号ピンを有しており、当該記憶装置は当該伝送インターフェースおよび当該独立した信号ピンを介して当該処理ユニットと接続されている。この際、当該電子システムが休眠モードに移行した時には、当該処理ユニットは、当該独立した信号ピンを介して当該記憶装置への電力供給を完全にオフにする。
【０００７】
本発明の一実施形態によれば、電力節約機能を有する電子システムが開示される。当該電子システムは、処理ユニットと記憶装置を備える。当該記憶装置は、伝送インターフェース、およびこれとは独立した信号ピンを有しており、当該記憶装置は当該伝送インターフェースおよび当該独立した信号ピンを介して当該処理ユニットと接続されている。この際、当該電子システムが休眠モードから通常動作モードへと移行した時には、当該処理ユニットは、当該独立した信号ピンを介して当該記憶装置への電力供給をオンに切り替える。
【０００８】
簡潔に要約するならば、本発明が開示する電子システムは、当該電子システムが休眠モードに移行した後に、電力を節約するために、当該電子システム内の記憶装置への電力供給を完全にオフにすることができる。
【０００９】
多種多様な図面において例示されている本発明の好適な実施形態に関する以下の詳細な説明を読んだならば、当該技術分野における当業者にとって、本発明のこれらの目的及びその他の目的は、間違いなく自明なものとなるであろう。
【図面の簡単な説明】
【００１０】
【図１】本発明の第１の実施形態に基づいた、電力節約機能を有する電子システムの簡略化されたブロック図
【図２】本発明の第２の実施形態に基づいた、電力節約機能を有する電子システムの簡略化されたブロック図
【発明を実施するための形態】
【００１１】
本明細書中の以下の説明及び特許請求の範囲の全体を通して、複数の特定の用語が、複数の特定のシステム構成要素を指して言うために使用される。当該技術分野における当業者にとって明らかなように、本発明に係る装置の製造業者にとっては、一の構成要素を指して別の名前で呼ぶことも可能である。本明細書は、呼び名が異なる構成要素を互いに区別することを意図しては書かれておらず、昨日が異なる構成要素を区別するように書かれている。以下の議論及び特許請求の範囲の記載において、「含む」、「含んでいる」、「備える」および「備えている」等の用語は、限定列挙的ではない用法で使用され、その結果、「〜を含むけれども、これらだけに限定はされない」との意味に解釈されるべきである。また、「接続する」および「接続される」等の用語は、間接的であるかまたは直接的であるかのいずれかである電気的接続を意味するように意図されている。従って、第１の装置が第２の装置に対して接続するならば、これらの間の接続は、直接的な電気的接続を介しているか、または他の装置や他の接続によって仲介された間接的な電気的接続を介しているかのいずれかであり得る。
【００１２】
図１を参照されたい。図１は、本発明の第１の実施形態に基づいた、電力節約機能を有する電子システム１００の簡略化されたブロック図である。ここで、電子システム１００は、例えば、ＰＣ、ノートブック型コンピュータ、組み込み型コンピュータまたはタブレット型コンピュータなどであり得る。そして、図１に示したとおり、電子システム１００は、処理ユニット１０２と記憶装置１０４とを備え、電子システム１００は、例えば、ＰＣ、ノートブック型コンピュータ、組み込み型コンピュータまたはタブレット型コンピュータなどとすることが可能であり、当該記憶装置は半導体ドライブ（ＳＳＤ）である。記憶装置１０４は、伝送インターフェース１０６を有し、記憶装置１０４は、伝送インターフェース１０６を介して処理ユニット１０２と接続されている。この時、伝送インターフェース１０６は、例えば、SATA（Serial  Advanced  Technology  Attachment）インターフェースまたはPCI-E（Peripheral  Component  Interconnect  Express）インターフェースなどとすることが可能である。電子システム１００が休眠モードに移行した時には、処理ユニット１０２は、電力を節約するために、伝送インターフェース１０６を介して記憶装置１０４への電力供給を完全にオフにする。この場合、処理ユニット１０２は、伝送インターフェース１０６の特定の信号ピン（図示せず）を介して記憶装置１０４への電力供給を完全にオフにする。例えば、SATAインターフェースおよびPCI-Eインターフェースの標準化仕様によれば、何の機能も割り当てられていない信号ピンが少なくとも一つは存在するので、本発明は、当該少なくとも一つの信号ピンを特定の信号ピンとして設定することができ、これにより、処理ユニット１０２は、電力を節約するために、当該特定の信号ピンを介して記憶装置１０４への電力供給を完全にオフにすることが可能となる。加えて、電子システム１００が休眠モードから通常動作モードへと移行した時には、処理ユニット１０２は、伝送インターフェース１０６を介して記憶装置１０４への電力供給をオンに切り替えることがさらに可能である。言い換えれば、処理ユニット１０２は、伝送インターフェース１０６の特定の信号ピンを介して当該記憶装置への電力供給をオンに切り替えることがさらに可能である。なお、上記した実施形態は単なる例示目的のものであり、本発明の技術的範囲を制限するものであると解すべきではない。
【００１３】
図２を参照されたい。図２は、本発明の第２の実施形態に基づいた、電力節約機能を有する電子システム２００の簡略化されたブロック図である。ここで、電子システム２００は、例えば、ＰＣ、ノートブック型コンピュータ、組み込み型コンピュータまたはタブレット型コンピュータなどであり得る。そして、図２に示したとおり、電子システム２００は、処理ユニット２０２と記憶装置２０４とを備え、電子システム２００は、例えば、ＰＣ、ノートブック型コンピュータ、組み込み型コンピュータまたはタブレット型コンピュータなどとすることが可能であり、当該記憶装置は半導体ドライブ（ＳＳＤ）である。記憶装置２０４は、伝送インターフェース２０６、およびこれとは独立した信号ピン２０８を有しており、独立した信号ピン２０８は、伝送インターフェース２０６からは完全に独立しており、独立した信号ピン２０８は、伝送インターフェース２０６に含まれる一部ではない。記憶装置２０４は伝送インターフェース２０６および独立した信号ピン２０８を介して処理ユニット２０２と接続されている。この時、伝送インターフェース２０６は、例えば、SATA（Serial  Advanced  Technology  Attachment）インターフェースまたはPCI-E（Peripheral  Component  Interconnect  Express）インターフェースなどとすることが可能である。電子システム２００が休眠モードに移行した時には、処理ユニット２０２は、電力を節約するために、独立した信号ピン２０８を介して記憶装置２０４への電力供給を完全にオフにする。加えて、電子システム２００が休眠モードから通常動作モードへと移行した時には、処理ユニット２０２は、独立した信号ピン２０８を介して記憶装置２０４への電力供給をオンに切り替えることがさらに可能である。なお、上記した実施形態は単なる例示目的のものであり、本発明の技術的範囲を制限するものであると解すべきではない。
【００１４】
簡潔に要約するならば、本発明が開示する電子システムは、当該電子システムが休眠モードに移行した後に、電力を節約するために、当該電子システム内の記憶装置への電力供給を完全にオフにすることができる。
【００１５】
当該技術分野における当業者は、本発明の教示内容の範囲を維持しながら、本発明に係る装置と方法に関する数多くの種類の変形実施例や代替実施例が実現可能であることを自明なものとして把握するだろう。従って、本明細書中において上記した開示内容は、本明細書に添付した請求項記載の発明に関して、その技術的範囲の外縁を明確化する必要がある際にのみ制限的であると解釈されるべきである。
【図１】
2013143135.tif 000003
【図２】
2013143135.tif 000004